(57)【要約】      （修正有）【課題】組み立てを複雑化させることなく、ポップアップストロボ内蔵カメラの上面カバーを小型化する。【解決手段】発光部と発光部ホルダと発光部ホルダを収納させるポップアップ部を有し、ポップアップ部は発光部ホルダに形成された回転軸穴とシャフトとシャフト固定部材とを備え、発光部ホルダをシャフト固定部材に組み立て、シャフトを夫々の回転軸穴に挿入しシャフト固定部材に固定することで、発光部ホルダは前記シャフト固定部材に対して回動可能に保持される。上面カバー部材７７には発光部ホルダが発光位置に移動可能に開口された開口部７７ｃが形成され、開口部を覆い発光部ホルダに固定される発光部カバー８０を有し、シャフト固定部材は上面カバー部材の非外観面側から組み立てられ、上面カバー部材に対して位置決め固定され、発光部カバーは上面カバー部材の外観面側から組み立てられ、発光部ホルダに対して位置決め固定される。【選択図】図５
2017062285.tif 000002
【特許請求の範囲】
【請求項１】
発光部（８１１）と、
前記発光部を収容する発光部ホルダ（８１２）と、
前記発光部ホルダを撮像装置本体（１）に対して収納される収納位置と撮像装置本体に対して突出する発光位置との間で移動させるポップアップ部（８２０）と、
前記ポップアップ部は、前記発光部ホルダに形成された一対の回転軸穴（８１２ｃ、８１２ｄ）と、回転軸であるシャフト（８１５）と、前記シャフトを固定するシャフト固定部材（８１４）とを備え、
前記発光部ホルダを前記シャフト固定部材に組み立て、前記シャフトを夫々の回転軸穴に挿入しシャフト固定部材に固定することで、前記発光部ホルダは前記シャフト固定部材に対して回動可能に保持され、
撮像装置本体の上面の外観を構成し、前記発光部ホルダを覆う上面カバー部材（７７）を有し、
前記上面カバー部材には、前記発光部ホルダが発光位置に移動可能に開口された開口部（７７ａ）が形成され、
前記開口部を覆い、前記発光部ホルダに固定される発光部カバー（８０）を有し、
前記シャフト固定部材は、前記上面カバー部材の非外観面側から組み立てられ、上面カバー部材に対して位置決め、固定され、
前記発光部カバーは、前記上面カバー部材の外観面側から組み立てられ、発光部ホルダに対して位置決め、固定されることを特徴とする撮像装置。
【請求項２】
発光位置に移動した前記発光部ホルダは、前記開口部から突出して発光部ホルダに形成したネジ螺合部（８１２ｆ、８１１ｇ）が露呈し、
前記発光部カバーは前記ネジ螺合部を使って、発光部ホルダに対してネジ締結されることを特徴とする請求項第１に記載の撮像装置。
【請求項３】
前記発光部カバーには、全周に廂部（８０ｂ）が形成され、前記上面カバー部材の合わせ部（７７ｃ）とインロー構成になることを特徴とする請求項第２に記載の撮像装置。
【発明の詳細な説明】
【技術分野】
【０００１】
本発明は、ストロボ内蔵カメラに関し、特にストロボ装置が収納位置と発光位置との間で移動可能なポップアップストロボ内蔵カメラに関する。
【背景技術】
【０００２】
カメラにおいて、被写体を照射するストロボ装置を内蔵したものが知られている。このようなストロボ装置では、レンズ鏡筒の先端でストロボ光が遮られて被写体に届かなくなる、所謂、「ケラレ」が問題となることがある。このため、撮影時にストロボ発光部をレンズ鏡筒から遠ざけて、ストロボ光の照射範囲内にレンズ鏡筒が入らないようにすることで、上記「ケラレ」を回避することが一般的に行われている。
【０００３】
ストロボ発光部のポップアップの方法は、ストロボ発光部をカメラ本体に対して軸回りに回転可能に支持し、ストロボ使用時にはカメラ上方の発光位置に移動させ、不使用時にはカメラの収納位置に移動する方式がある（特許文献１参照）。
【０００４】
具体的な構成としては、ストロボ発光部を支持する発光部ホルダを設け、この発光部ホルダには一対の回転軸穴が形成される。その一対の回転軸穴の間にはカメラ上面外観の一部を構成する第一の外装部材が設けられる。発光部カバーは、発光部ホルダに組み込まれたストロボ発光部を覆うように形成し、発光部ホルダに取り付けられる。発光部カバーと一体化された発光部ホルダは第一の外装部材に組み立てられ、回転軸となるシャフトを第一の外装部材を貫通し一対の回転軸穴に夫々挿入される。そうすることで、発光部ホルダは第一の外装部材に対して回動可能に保持される。
【０００５】
その後に、発光部ホルダの回転軸として使用される回転軸穴やシャフトはカメラ上面外観を構成する第二の外装部材（以降、上面カバー）で覆うように上面カバーの外観側から組み立てられる。上面カバーには、発光部ホルダと一体化された発光部カバーが発光位置に移動可能に開口された開口部が形成される。
【先行技術文献】
【特許文献】
【０００６】
【特許文献１】特開２００９−２０１８８号公報
【発明の概要】
【発明が解決しようとする課題】
【０００７】
従来、このように構成されたポップアップストロボは、第一の外装部材がカメラの構造躯体となるメインシャーシに対して固定される。その後に、可動部である発光部ホルダの回転軸部を覆うように上面カバーが同じメインシャーシに対して固定される。このように、メインシャーシを介して夫々が固定されている為、寸法公差のばらつきを考慮して、可動する回転軸部と上面カバーの内壁には大きな隙間を確保する必要があり、上面カバーが大型化してしまうという問題があった。
【０００８】
また、発光部ホルダに発光部カバーを組み立てた後に、カメラ上面側から上面カバーを組み立てる為に、発光部カバーと上面カバーの合わせ部はインロー構成にできず、合わせ部の隙間から内部構造部材が見えてしまい、外観上の見栄えが低下するという問題があった。
【課題を解決するための手段】
【０００９】
上記の課題を解決するために、本発明に係る撮像装置は、
発光部と、前記発光部を収容する発光部ホルダと、前記発光部ホルダを撮像装置本体に対して収納される収納位置と撮像装置本体に対して突出する発光位置との間で移動させるポップアップ部と、前記ポップアップ部は前記発光部ホルダに形成された一対の回転軸穴と、回転軸であるシャフトと、前記シャフトを固定するシャフト固定部材とを備え、前記発光部ホルダを前記シャフト固定部材に組み立て、前記シャフトを夫々の回転軸穴に挿入しシャフト固定部材に固定することで、前記発光部ホルダは前記シャフト固定部材に対して回動可能に保持され、撮像装置本体の上面の外観を構成し、前記発光部ホルダを覆う上面カバー部材を有し、前記上面カバー部材には、前記発光部ホルダが発光位置に移動可能に開口された開口部が形成され、前記開口部を覆い前記発光部ホルダに固定される発光部カバーを有し、前記シャフト固定部材は前記上面カバー部材の非外観面側から組み立てられ、上面カバー部材に対して位置決め固定され、前記発光部カバーは前記上面カバー部材の外観面側から組み立てられ、発光部ホルダに対して位置決め固定されることを特徴とする。
【発明の効果】
【００１０】
本発明に係る撮像装置によれば、ポップアップストロボ内蔵カメラにおいて、ストロボのポップアップ部は上面カバーの非外観面側から組み立てられ、上面カバーに対して直接位置決めし固定される。上面カバーにはポップアップ部が発光位置に移動可能に開口された開口部が形成される。この開口部を覆う発光部カバーは、上面カバーの外観面側から組み立てられ、発光部ホルダに位置決めし固定される。このような構成にすることで、ポップアップ部と上面カバーの内壁に設ける隙間を最小限に抑えられ、上面カバーを小型化することができる。更に、発光部カバーと上面カバーの合わせ部をインロー構成にすることができる為、内部構造部材が部品間の隙間から見えなくなり、外観品位を向上することができる。
【図面の簡単な説明】
【００１１】
【図１】本発明に係る撮像装置の斜視図である。
【図２】本発明に係る発光部ユニットの正面図、側面図、Ａ−Ａ線に沿う断面図、Ｂ−Ｂ線に沿う断面図である。
【図３】本発明に係るポップアップ発光部ユニットの構成を示す分解斜視図、ストロボユニットの構成を示す分解斜視図である。
【図４】本発明に係るトップストロボユニットの構成を示す分解斜視図である。
【図５】本発明に係る撮像装置の上面図、Ｃ−Ｃ線に沿う断面図、Ｄ−Ｄ線に沿う断面図、ポップアップストロボが発光位置にある状態を示す側面図である。
【発明を実施するための形態】
【００１２】
以下に、本発明の好ましい実施形態を、添付の図面に基づいて詳細に説明する。
【００１３】
図１は本実施形態に係る撮像装置（以下、カメラ）の外観を示す斜視図である。図１（ａ）はストロボユニットの収容状態を示す正面斜視図、図１（ｂ）はストロボユニットのポップアップ状態を示す正面斜視図、図１（ｃ）はストロボユニットの収容状態を示す背面斜視図である。
【００１４】
図１において、カメラ１には、被写体像を撮像素子に結像する撮影レンズ鏡筒２が固定されている。撮影レンズ鏡筒２は、沈胴式のズームレンズ鏡筒で撮影レンズおよびズーム機構、シャッタ機構、及びフォーカス機構等を搭載した、公知の鏡筒である。撮影レンズ鏡筒２は、カメラ背面側に配置されているカメラ全体の構造躯体となるメインシャーシにビスを用いて締結されている。撮影レンズ鏡筒２の後方には、光学像を光電変換して画像データを生成するＣＣＤやＣＭＯＳイメージセンサ等の撮像素子（不図示）が実装されている。
【００１５】
カメラ１の内部には、中央処理装置であるＣＰＵや各々のフレキシブル配線基板を電気的に接続するためのコネクタを備えるメイン基板が配置されている。カメラ１の正面は、フロントカバーユニット３によって覆われている。フロントカバーユニット３は、主にカメラ正面を覆う外装部材である金属製のフロントカバー３１、ユーザがカメラを把持した際に指掛りとなるグリップ部材として機能するフロントグリップ３２等で構成されている。カメラ１の背面は、リアカバーユニット４によって覆われている。
【００１６】
リアカバーユニット４は、カメラ背面を覆う外装部材である金属製のリアカバー４１、各種操作ボタン４２、ユーザがカメラを把持した際に指掛りとなるグリップ部材として機能するリアグリップ４３等で構成されている。また、カメラ１の背面には、撮影画像の表示手段として公知のバリアングル型ＬＣＤ表示部５が設けられている。バリアングル型ＬＣＤ表示部５は、ヒンジ部５１によってカメラ本体に支持され、撮影者は撮影を行う姿勢に応じて表示部の角度を自由に変えることができ、ハイアングルやローアングルでも被写体をＬＣＤ表示部５２で確認しながら撮影を行うことができる。
【００１７】
更に、撮影画像の表示手段としてビューファインダー部６が設けられている。ビューファインダー部６は、本体電源がオンの状態でバリアングル型ＬＣＤ表示部５を消灯させている際にライブビュー画像等を表示することで、撮影者が覗いて被写体や構図を確認することができる。
【００１８】
カメラ１の上面中央は樹脂製のトップベース７７で覆われ、カメラ上面のグリップ側と非グリップ側は金属製のトップカバー７１１、７１２で覆われている。トップカバーユニット７は、電源操作を行うための電源ボタン７１、撮影動作を開始するためのレリーズボタン７２、変倍操作のためのズームレバー７３、撮影モードを切替るためのモードダイアル７４、露出を変更するための露出補正ダイアル７５が設けられている。
【００１９】
カメラ１の上面中央部には、外部ストロボ等のアクセサリ部品を取り付け可能とするアクセサリシュー７６、および撮影時に被写体の明るさが足りない時に発光するストロボユニット８、ストロボユニット８に取り付けられる発光部カバー８０が設けられている。ストロボユニット８を発光位置まで手動で移動させる指掛りとして、発光部カバー８０の両側面には突起形状８０ａが形成されている。ストロボユニット８は、不使用時にはカメラ本体１内に収納されており、使用時には、手動で移動させることでカメラ本体１内からポップアップし、図１（ｂ）の状態になる。
【００２０】
つまり、ストロボユニット８は、使用形態に応じて、図１（ａ）に示される収納位置にある状態と、図１（ｂ）に示される発光位置にある状態とがある。
【００２１】
カメラ１のグリップ側（正面から見て左側）の側面部には、外部接続コネクタを覆い隠すためのコネクタカバー８１が配置されている。コネクタカバー８１の上側には、ストラップ紐を通すためのストラップ取付部材８２が配置され、反対側の側面部にもストラップ取付部材８３が配置されている。ストラップ紐を取り付けることで、ストラップ紐を首や手首等にかけて携帯することが出来、携帯性の向上や脱落防止に役立っている。
【００２２】
カメラ１の非グリップ側（正面から見て右側）の側面部は、樹脂製のサイドカバー８４が配置されている。
【００２３】
図２は本発明の実施例に係る発光部ユニット８１０を説明する図である。図２（ａ）は発光部ユニット８１０の上面図である。
【００２４】
発光部ユニット８１０は、発光部８１１、発光部ホルダ８１２、発光部８１１とストロボ基板８１９（図３参照）を電気的に接続するリード線群８１３で構成されている。発光部８１１は、Ｘｅ管８１１ａ、反射傘８１１ｂ、発光部窓８１１ｃ、トリガーコイル８１１ｄで構成される公知の発光部である。反射傘８１１ｂと発光部窓８１１ｃは、撮像の対象となる領域にストロボ光が集光するように配光角度を決めている。
【００２５】
すなわち、撮影画角外に照射されてしまう光を撮影画角に集めることにより、集光効率を高めることが出来る。
【００２６】
発光部ホルダ８１２の前側には、発光部８１１を収容する発光部収容部８１２ａが形成され、発光部ホルダ８１２の後側には、一対の回動軸穴８１２ｂ、８１２ｃが形成され、収容部と夫々の回動軸穴を結ぶように右アーム部８１２ｄ、左アーム部８１２ｅが形成されている。リード線群８１３は、Ｘｅ管８１１ａとトリガーコイル８１１ｄをストロボ基板８１９（図３参照）に電気的に接続しており、４本のリード線が引き出されている。
【００２７】
図２（ｂ）は右アーム部８１２ｄの外側を示す側面図である。
【００２８】
右アーム部８１２ｄには、発光部ユニット８１０を収納位置と発光位置に付勢する付勢バネ８１６（図３参照）が組み立てられる。右アーム部８１２ｄには、一方の付勢バネ腕部８１６ａを固定する取付軸８１２ｄａと、他方の付勢バネ腕部８１６ｂを固定するガイド軸８１７（図３参照）をシャフトホルダ８１４（図３参照）に取り付けるための開口部８１２ｄｂが形成されている。開口部８１２ｄｂは、発光部ホルダ８１２の回動軌跡に合わせて長穴で形成されている。
【００２９】
また、回動軸穴８１２ｂ周辺には、上面操作フレキシブル基板７００に実装された検出ＳＷ（不図示）を押すための延設部８１２ｂａが一体に形成されている。
【００３０】
図２（ｃ）、（ｄ）は各アーム部の内側を示す発光部中心のA―A、B−B断面図である。
【００３１】
各アーム部の内側には、発光部ユニット８１０が発光位置に回動した時に位置を規制する第一のストッパ面８１２ｄｃ、８１２ｅａが形成されている。また、各アーム部の内側には、発光部ユニット８１０が収納位置に回動した時に位置を規制する第二のストッパ８１２ｄｅ、８１２ｅｂが形成されている。
【００３２】
図２（ｅ）は左アーム部８１２ｃの外側を示す側面図である。
【００３３】
このリード線群７１５は、左アーム部に形成されたリード線収容部８１２ｅｃを通り、カメラ本体内部へ配線される。リード線収容部には、リード線圧入部８１２ｅｄが形成され、そこで４本のリード線を２本ずつ圧入固定され、更に４本のリード線は発光部ホルダ８１２に対してボンド固定される。このようにすることで、発光部ユニット８１０の取り扱い時に、リード線群８１３が引っ張られたとしても、Ｘｅ管８１１ａ、トリガーコイル８１１ｄとリード線群を電気的に接続する半田部に負荷がかからないように配慮している。
【００３４】
また、図２（ｂ）、（ｄ）に示す通り、発光部ホルダ８１２には、後述する発光部カバー８０をビス締結するためのビス螺合部８１２ｆ、８１２ｇが形成されている。
【００３５】
図３は本発明の実施例に関わるストロボユニット８を説明する分解斜視図である。図３（ａ）を参照して、ポップアップ発光部ユニット８２０の構成を組立順序に沿って説明する。まず、ポップアップ機構部の土台となるシャフトホルダ８１４を説明する。
【００３６】
シャフトホルダ８１４には、発光部ユニット８１０の回転軸となる段付きビス８１５を取り付ける為のビス座８１４ａと、付勢バネ８１６用のガイド軸８１７を取り付ける為のビス座８１４ｂが形成されている。
【００３７】
また、発光部ユニット８１０がポップアップ位置に移動した時に、発光部ホルダに設けられたストッパ面８１２ｄｃ、８１２ｅａ（図２参照）と当接して位置を規制するストッパ面８１４ｃが形成されている。組み立て手順は、シャフトホルダのビス座８１４ａ中心と発光部ホルダの回転軸穴８１２ｂ、８１２ｃ中心を合わせた状態で、回転軸となる段付きビス８１５を取り付ける。次に、ガイド軸８１７に付勢バネ腕部８１６ｂを通した状態で、ガイド軸８１７をシャフトホルダのビス座８１４ｂに取り付ける。その後に、他方の付勢バネ腕部８１６ａを発光部ホルダの取付軸８１２ｄａに取り付けることにより、発光部ユニット８１０のポップアップ機構部が完成する。
【００３８】
ストロボベース８１８には、前側に発光部用のメインコンデンサ８１８ａ、後側にはストロボ基板８１９が取り付けられている。２本のリード線群８１８ｂは、メインコンデンサ８１８ａとストロボ基板８１９を電気的に接続している。
【００３９】
発光部ユニット８１０から引き出されたリード線群８１３は、発光部ホルダのリード線圧入部８１１ｅｄ（図２参照）から規定された位置でマーキングする。次に、ストロボベース８１８に形成された圧入部８１８ｃにそのマーキング位置を合わせて４本のリード線を２本ずつ圧入固定し、更に４本のリード線はストロボベース８１８に対してボンド固定する。こうしてポップアップ発光部ユニット８２０が完成する。
【００４０】
このように、リード線群８１３に規定された位置でマーキングしてストロボベース側に備えた圧入部に固定することで、発光部ユニット８１０がポップアップ動作時に必要なリード線の余長を一定長さに管理することが可能となる。余長を管理することで、ポップアップ時にリード線の長さが足りず発光位置に移動できない場合や、収納時にリード線が余り過ぎて内部構成部品と干渉するといった場合の発生を防いでいる。
【００４１】
図３（ｂ）に示す通り、ポップアップ発光部ユニット８２０は、ストロボユニット８の構造躯体であるトップシャーシ８２１に対して取り付けられる。シャフトホルダ８１４は、トップシャーシの中央上面８２１ａで位置決めとビス８２２固定される。また、ストロボベース８１８は、トップシャーシの左下面８２１ｂで位置決めとビス８２３固定される。トップシャーシ８２１は、左下面８２１ｂと右下面８２１ｃから曲げて形成した締結部８２１ｂａと８２１ｃａを備えられ、トップシャーシの剛性を高める為に、フロントシャーシ８２３がビス８２４固定される。こうして、ストロボユニット８が完成する。ストロボユニット８の状態では、後述する発光部カバー８０は発光部ホルダ８１２に組まれていない。
【００４２】
図４は本発明の実施例に係るトップカバーユニット７とストロボユニット８、発光部カバー８０の組立を説明する分解斜視部である。
【００４３】
はじめに、ストロボユニット８に各操作部材のスイッチやパターン等が実装された操作フレキシブル基板７００を取り付ける。操作フレキシブル基板７００は、トップシャーシの中央上面８２１ａ、左下面８２１ｂ、右下面８２１ｃが夫々位置決めされ、両面テープで固定される。
【００４４】
次に、ストロボユニット８はトップベース７７（７）の非外観面側から真っ直ぐに組み立てられ、トップベース７７に対してトップシャーシの中央上面８２１ａ、左下面８２１ｂ、右下面８２１ｃが夫々位置決めされる。トップシャーシの中央上面と左下面をつなぐ左側面８２１ｄと中央上面と右下面をつなぐ右側面８２１ｅは多少弾性変形するように形成され、各面を夫々位置決めしても位置決め部が入りきらないといった場合は発生しない。
【００４５】
ここで、トップベース７７には、発光部ユニット８１０が発光位置に移動する為の上側開口部７３ａが備えられている。次に、ストロボユニット８の組立用に開口した下側開口部７７ｂ（図５参照）を塞ぐように形成されたアンダーカバー７９がトップベース７７に組み立てられる。その後に、ストロボユニット８の組立方向と同じ方向から、ビス７８１、７８２、７８３締めすることで、トップシャーシの左下面８２１ｂ、右下面８２１ｃとアンダーカバー７９はトップベース７７に固定される。
【００４６】
次に、アクセサリシュー７６はトップベース７７に対して外観面側から組み立てられ、トップシャーシの中央上面８２１ａにビス７８４固定される。さらに、発光部カバー８０は発光部８１１を覆うようにトップベースの外観面側から発光部ホルダ８１２に対して組み立てられ、ポップアップ状態で上面カバーから露呈された発光部ホルダのネジ螺合部にネジ７８５締結される。
【００４７】
図５（ａ）は本実施形に係るカメラの上面図である。図５（ｂ）、（ｃ）は図５（ａ）におけるＣ−Ｃ線とＤ−Ｄ線に沿った断面図であり、ストロボユニットは収納状態を示している。図５（ｄ）は本実施形に係るカメラの側面図であり、ストロボユニットはポップアップ状態を示している。
【００４８】
図５（ｂ）、（ｃ）に示す通り、発光部カバー８０には、全周に廂部８０ｂが形成され、発光部ユニット８１０が収納位置に移動した時に、トップベース７７の合わせ面７７ｃと全周がインロー構成になっている。また、発光部ユニット８１０は、発光部カバーの廂部８０ｂがトップベースの前側合わせ面７７ｃａで当接することで、収納位置に規制される。
【００４９】
ストロボユニット８（図４参照）の状態においては、発光部ユニット８１０は、発光部ホルダに備えた第二のストッパ８１２ｄｅ、８１２ｅｂとシャフトホルダに備えたストッパ面８１４ｃが当接することによって仮の収納位置に規制されている。つまり、発光部ユニット８１０は、カメラ組立完成状態よりも収納位置方向に回転した状態となっている。
【００５０】
カメラ組立完成状態においては、発光部カバー８０とトップベースの前側合わせ面７７ｃａに当接することで、正規の収納位置に規制されている。つまり、発光部ユニット８１０の収納位置を規制していた第二のストッパ８１２ｄｅ、８１２ｅｂは当接しないようにしている。
【００５１】
この様にすることで、カメラ正面から見た時の発光部カバー８０とトップベース７７の合わせ部に隙間を設ける必要が無く、外観の品位を高めることができる。
【００５２】
図５（ｃ）に示す通り、トップベース７７には、ストロボユニット８をトップベースの非外観面側から真っ直ぐ組み立てる際に、発光部ユニット８１０が通過する為の下側開口部７７ｂが設けられている。そのトップベースの下側開口部７７ｂを塞ぐようにアンダーカバー７９が組み立てられる。アンダーカバー７９には、発光部ユニット８１０の背面を覆い隠すように立ち壁部７９ａが形成されている。この立ち壁部７９ａがあることによって、発光部ユニット８１０が発光位置に移動した際にできるトップベース７７との隙間からカメラ本体９の内部構成部材が見えないように構成している。
【００５３】
また、ストロボユニット８の構造躯体であるトップシャーシ８２１（図４参照）とトップベース７７を直接位置決め固定している為、可動部である発光部ユニット８１０とトップベース７７の内壁の隙間Ｘ１、Ｘ２を最小に抑えることができる。この構成にすることにより、トップベース７７を小型化することが可能となっている。
【００５４】
図５（ｄ）に示す通り、発光部ユニット８１０はポップアップ状態で、発光部ホルダのネジ螺合部８１２ｆ、８１１ｇがトップベースの合わせ面７７ｃから露呈することで、発光部カバー８０を発光部ホルダとビス締結７８５することが可能となっている。
【００５５】
上記の実施形態によれば、ポップアップストロボ内蔵カメラにおいて、ストロボのポップアップ部は上面カバーの非外観面側から組み立てられ、上面カバーに対して直接位置決めし固定される。上面カバーにはポップアップ部が発光位置に移動可能に開口された開口部が形成される。この開口部を覆う発光部カバーは、上面カバーの外観面側から組み立てられ、発光部ホルダに位置決めし固定される。このような構成にすることで、ポップアップ部と上面カバーの内壁に設ける隙間を最小限に抑えられ、上面カバーを小型化することができる。
【００５６】
更に、発光部カバーと上面カバーの合わせ部をインロー構成にすることができる為、内部構造部材が部品間の隙間から見えなくなり、外観品位を向上することができる。
【００５７】
以上、本発明の好ましい実施形態について説明したが、本発明はこれらの実施形態に限定されず、その要旨を範囲内で種々の変形および変更が可能である。
【符号の説明】
【００５８】
１  撮像装置本体、７  トップカバーユニット、８  ストロボユニット、
７７  上面カバー（トップベース）、７７ａ  開口部、７７ｃ  合わせ面、
８０  発光部カバー（ストロボカバー）、８０ｂ  廂部、８１０  発光部ユニット、
８１１  発光部、８１２  発光部ホルダ、８１２ｆ，８１２ｇ  ネジ螺合部、
８２０  ポップアップ発光部ユニット
【図１】
2017062285.tif 000003
【図２】
2017062285.tif 000004
【図３】
2017062285.tif 000005
【図４】
2017062285.tif 000006
【図５】
2017062285.tif 000007